(57)【特許請求の範囲】
【請求項１】
Ｎ個（Ｎ≧２）の無線アンテナを具備する無線信号受信装置において、
前記無線アンテナで同時に受信されたＮ個の無線信号から、Ｍ個（１≦Ｍ≦Ｎ）の信号を組み合わせることにより得られる互いに異なる複数の信号系列を出力する抽出手段と、
前記抽出手段から出力された各信号系列に対して、当該信号系列がＭ＝１の信号系列の場合には、シングル復調を行い、Ｍ≧２の信号系列の場合には、Ｍブランチ受信ダイバーシチ復調を行ってそれぞれを出力する復調手段と、
前記復調手段から出力された各信号に対して誤り検出を行い、誤りなしと判定された信号のみを出力する誤り検出手段と、
前記誤り検出手段から出力された信号を相互に対比して、重複を排除して出力する判定手段と
を具備することを特徴とする無線信号受信装置。
【請求項２】
前記抽出手段は、Ｎ個の受信信号からＭ個の信号の組み合わせを抽出する際に、Ｍ個の全ての組み合わせを抽出し、ＮＣＭ個の信号系列として出力することを特徴とする請求項１記載の無線信号受信装置。
【請求項３】
前記無線アンテナが複数の地点＃１〜＃Ｐに離れて設置されている場合に、各地点における無線アンテナ数をＬｉ（１≦ｉ≦Ｐ）とし、
前記抽出手段は、（ｍｉｎ１≦ｉ≦Ｐ（Ｌｉ）≦Ｍ≦Ｎ）で、かつＭ＝Ｌｉ（１≦ｉ≦Ｐ）となる条件を満たすＭ個の信号の組み合わせを抽出することを特徴とする請求項１記載の無線信号受信装置。
【請求項４】
前記抽出手段は、複数配置され、並列的に抽出処理を行い、
前記復調手段は、複数配置され、並列的に抽出処理を行うことを特徴とする請求項１から３のいずれかに記載の無線信号受信装置。
【請求項５】
前記抽出手段は、複数配置され、時系列的に抽出処理を行い、
前記復調手段は、複数配置され、時系列的に抽出処理を行うことを特徴とする請求項１から３のいずれかに記載の無線信号受信装置。
【請求項６】
Ｎ個（Ｎ≧２）の無線アンテナで無線信号を受信する無線信号受信方法において、
前記無線アンテナで同時に受信されたＮ個の無線信号から、Ｍ個（１≦Ｍ≦Ｎ）の信号を組み合わせることにより得られる互いに異なる複数の信号系列を出力する抽出ステップと、
前記抽出手段から出力された各信号系列に対して、当該信号系列がＭ＝１の信号系列の場合には、シングル復調を行い、Ｍ≧２の信号系列の場合には、Ｍブランチ受信ダイバーシチ復調を行ってそれぞれを出力する復調ステップと、
前記復調手段から出力された各信号に対して誤り検出を行い、誤りなしと判定された信号のみを出力する誤り検出ステップと、
前記誤り検出手段から出力された信号を相互に対比して、重複を排除して出力する判定ステップと
を含むことを特徴とする無線信号受信方法。
【請求項７】
前記抽出ステップは、Ｎ個の受信信号からＭ個の信号の組み合わせを抽出する際に、Ｍ個の全ての組み合わせを抽出し、ＮＣＭ個の信号系列として出力することを特徴とする請求項６記載の無線信号受信方法。
【請求項８】
前記無線アンテナが複数の地点＃１〜＃Ｐに離れて設置されている場合に、各地点における無線アンテナ数をＬｉ（１≦ｉ≦Ｐ）とし、
前記抽出ステップは、（ｍｉｎ１≦ｉ≦Ｐ（Ｌｉ）≦Ｍ≦Ｎ）で、かつＭ＝Ｌｉ（１≦ｉ≦Ｐ）となる条件を満たすＭ個の信号の組み合わせを抽出することを特徴とする請求項６記載の無線信号受信方法。
【発明の詳細な説明】
【技術分野】
【０００１】
本発明は、複数個の受信アンテナを具備する無線信号受信装置及び無線信号受信方法に関する。
【背景技術】
【０００２】
従来、無線伝送システムにおける場所率特性の向上技術として、無線信号受信装置側に複数個の受信アンテナを互いに離して設置し、異なる場所の無線信号を複数個受信することによって、受信信号の復調成功確率を高める受信ダイバーシチ技術がある。特に、受信ダイバーシチ技術の中でも最良特性を実現する最大比合成（ＭＲＣ：Maximum Ration Combine）は、各受信アンテナのみでは受信レベルが不足して受信信号の復調が困難な場合でも、複数アンテナの受信信号をＳＮＲ（Signal-to-Noise Ratio）に応じた重みをつけて重ね合わせることにより、復調可能とすることができる場合がある。この復調成功率は、アンテナ数を増やせば増やすほど高まるため、演算処理などの負荷が特に問題なければ、装備した全受信アンテの受信信号に対してＭＲＣを行うことが通常である（非特許文献１参照）。
【０００３】
ＭＲＣでは、検波前で受信信号を合成する際に、包路線レベルの大きなもの程寄与を大きくするように、受信信号の包結線レベルに比例した重み付けを行うことで、合成受信波のＣＮＲが最大になるという大きな合成受信効果が期待できる。
【０００４】
図８は、従来技術による無線信号受信波置（全受信アンテナを用いて受信ダイバーシチを行う）の略構成を示すブロック図である。Ｎ個の受信アンテナ３−１−１〜３−１−Ｎで受信した無線信号＃１〜＃Ｎの各々を、Ｎ個の無線受信部３−２−１〜３−２−Ｎによって、周波数変換により、Ｎ個のベースバンド信号＃１〜＃Ｎへ変換する。次に、Ｎブランチ受信ダイバーシチ復調手段３−３により、Ｎ個のベースバンド信号＃１〜＃Ｎの中から、抽出された信号系列に対して、Ｎブランチ受信ダイバーシチ復調を行う。
【０００５】
しかしながら、受信ダイバーシチ技術の中でも、各受信アンテナが同一の遮蔽物に遮られないよう、各受信アンテナを互いに遠方に放して設置するサイト受信ダイバーシチ技術を用いた場合、全受信アンテナの受信信号に対してＭＲＣを行うと、以下のような問題が生じる。
【０００６】
サイト受信ダイバーシチ技術では、互いに離れた複数地点に受信アンテナを一つ並びに複数設置するため、ある地点の受信アンテナには、ある送信局が近距離にあり、別の地点の受信アンテナには、別の送信局が近距離にあるケース、すなわち、ある地点の受信アンテナには、ある送信局の無線信号のみが受信され、別の地点の受信アンテナには、別の送信局の無線信号のみが受信されるケースが高確率で発生する。
【０００７】
この場合、各送信局がランダムアクセスなどにより無線信号を同時に送信すると、各地点の受信アンテナの受信信号のみでＭＲＣを行えば、各送信局の無線信号を各々復調できるにも関わらず、全受信アンテナの受信信号でＭＲＣ、すなわち全受信アンテナの受信信号を合成した結果、合成後の信号において、ある１つの送信局からの受信信号レベルと他送信局からの受信信号レベルとが同レベルである場合、互いの信号が干渉となり、どの送信局の無線信号も復調できない状況が生じる。
【０００８】
また、ある１つの送信局の受信信号レベルが他送信局の受信信号レベル差よりも復調できる程度大きかった場合でも、復調できるのは、その送信局の無線信号のみであり、他送信局の無線信号を復調することは出来ない。すなわち、受信局がサイト受信ダイバーシチ技術適用時において、複数の送信局がランダムアクセスなどにより同時に無線信号を送信してきた場合に、全受信アンテナの受信信号でＭＲＣを行うことにより、各地点の受信アンテナの受信信号のみを用いてＭＲＣを行う場合よりも、復調成功する送信局数が減少するケ一スが高確率で発生するという問題があった。
【０００９】
また、受信ダイバーシチの中には、ＭＲＣの他に各受信アンテナの受信信号の中から最大受信レベルの受信信号を選択する選択ダイバーシチもある（非特許文献２参照）。選択ダイバーシチも、ＭＲＣと同様に、サイト受信ダイバーシチ適用時に複数送信局が同時送信する場合、全受信アンテナを用いて選択ダイバーシチを行うと、各地点の受信アンテナの受信信号のみで選択ダイバーシチを行う場合よりも、復調成功する送信局数が減少するケースが高確率で発生する。
【００１０】
なお、このように同時に無線信号を送信する送信局が複数ある場合に、受信装置側が複数アンテナを装備して各送信局の無線信号を復調する技術としてアダプティブアレー技術がある。アダブティブアレー技術は、ダイバーシチ技術の一種と考えられる。具体的には、各送信局に対して、ＭＭＳＥ（Minimum Mean Square Error）基準に基づくＭＭＳＥウエイトを各受信アンテナの受信信号を重みづけて各々合成することにより、各送信局の無線信号の復調成功確率を最良にすることができる。
【００１１】
ＭＭＳＥアダプティブアレー技術は、所望のアレー応答である参照信号と実際のアレー出力信号との差（誤差信号）を最小にすることによって最適なウエイトを決定するシステムである。この方式は、アダプティブヌルステアリングと同時にアダプティブビームフォーミングを行い、そのために素子配列やシステム構成に制約を受けないという長所がある反面、参照信号として厳密には所望信号そのものを必要とするという矛盾がある。実際には、所望信号の性質（周波数帯域、変調方式等）に関する予備知識があるので、アレー出力信号を適当に処理することによって適切な参照信号を得ることができる。
【００１２】
しかしながら、受信局側でＭＭＳＥウエイトを実現するためには、各送信局に対して全受信アンテナの伝搬チャネル応答を事前に推定する必要がある。このためには、送信局毎に伝搬チャネル応答用のトレーニング信号を送信するか、あるいは、受信局側がトレーニング信号無しで各伝搬チャネル応答を推定する（ブラインドで推定する）必要がある。送信局毎に伝搬チャネル応答用のトレーニング信号を送信する場合、各送信局のトレーニング信号が干渉しないよう時分割送信などが必要となるため、送信局数分だけオーバーヘッドが増加し、伝送効率が劣化するという問題がある。
【００１３】
さらに、受信局が送信局全てを把握できていない時、トレーニング信号を送信するタイミングなどを通知する制御用信号なども別途必要となり、更に伝送効率が劣化する。この伝送効率の劣化は、情報長が短い場合、すなわち、短パケットでは、より顕著である。また、ブラインドで推定する場合、ＣＭＡ（Constant Modulus Algorithm）などのブランドアルゴリズムが必要なる。
【００１４】
ＣＭＡは、定包絡線信号を対象としたＭＭＳＥアダプティブアレーの変形とも言えるものであり、移動通信など多重波（遅延波）や、同一チャネル干渉波などの存在する電波環境において、所望波と多重波・干渉波の電力はあまり変わらず、かつその到来方向について予備知識はほとんど得られない状況で、多重波や、干渉波などを抑圧するためのアダプティブシステムとして考え出された技術である（非特許文献３参照）。
【００１５】
無線通信における変調方式には大きく分類すると、振幅変調、周波数変調、位相変調の３つがある。このうち周波数変調、位相変調は、信号の包絡線が一定であるという性質を備えている。これらの信号が多重伝搬路を通り、時間的に遅延のある電波（多重波または遅延波）となって受信地点に到来した場合、あるいは別個の波源からの干渉波が入射した場合、合成信号は、包絡線一定の性質が失われ、包路線に変動成分を生じる。
【００１６】
ＣＭＡの動作原理は、アレー出力の包絡線の歪成分が最小となるように、ウエイトを制御し、多重波・干渉波を抑圧することである。ＣＭＡは、上述したように誤差最小という意味では、ＭＭＳＥアダプティブアレーに属するが、「所望信号が包絡線一定の性質をもつ」という条件を満たしていれば、ＭＭＳＥのような参照信号を必要としない。
【００１７】
しかしながら、ブランドアルゴリズムを正常に動作させるためには、ある程度のシンボル数が必要であり、制御用パケットなどの短バケットでは、プラインドアルゴリズムによってチャネル応答を精度良く推定することは不可能である。したがって、短パケットでは、ＣＭＡの適用は困難である。
【非特許文献１】「移動通信の基礎」、編著者電子通信学会
【非特許文献２】「移動通信の基礎」、Ｐ１６６−１７０．編著者電子通信学会
【非特許文献３】「アレーアンテナによる適用信号処理」、著者  菊間信良、発行所（株）科学技術出版
【発明の開示】
【発明が解決しようとする課題】
【００１８】
上述したように、受信局側が複数受信アンテナを具備して受信ダイバーシチを行う場合に、複数地点に受信アンテナを装備するサイト受信ダイバーシチの場合には、複数送信局がランダムアクセスなどにより同時送信する時に、全受信アンテナの受信信号を用いてＭＲＣや選択ダイバーシチを行うと、各地点の受信アンテナの受信信号のみでＭＲＣや選択ダイバーシチを行う場合よりも、復調成功する送信局数が減少する可能性があった。また、各送信局の復調成功率を最良にするＭＭＳＥでは、短パケット時には、伝搬チャネル応答推定をトレーニング信号を用いて行うと伝送効率が劣化し、ブラインド推定で行うと、伝搬チャネル応答推定精度が劣化するという問題があった。
【００１９】
本発明は、このような事情を考慮してなされたものであり、その目的は、パケット長の長さに依存することなく、受信アンテナの受信信号の組み合わせにかかわらず、送信局を全て復調成功とすることができる無線信号受信装置及び無線信号受信方法を提供することにある。
【課題を解決するための手段】
【００２０】
上述した課題を解決するために、本発明は、Ｎ個（Ｎ≧２）の無線アンテナを具備する無線信号受信装置において、前記無線アンテナで同時に受信されたＮ個の無線信号から、Ｍ個（１≦Ｍ≦Ｎ）の信号を組み合わせることにより得られる互いに異なる複数の信号系列を出力する抽出手段と、前記抽出手段から出力された各信号系列に対して、当該信号系列がＭ＝１の信号系列の場合には、シングル復調を行い、Ｍ≧２の信号系列の場合には、Ｍブランチ受信ダイバーシチ復調を行ってそれぞれを出力する復調手段と、前記復調手段から出力された各信号に対して誤り検出を行い、誤りなしと判定された信号のみを出力する誤り検出手段と、前記誤り検出手段から出力された信号を相互に対比して、重複を排除して出力する判定手段とを具備することを特徴とする無線信号受信装置である。
【００２１】
本発明は、上記の発明において、前記抽出手段は、Ｎ個の受信信号からＭ個の信号の組み合わせを抽出する際に、Ｍ個の全ての組み合わせを抽出し、ＮＣＭ個の信号系列として出力することを特徴とする。
【００２３】
本発明は、上記の発明において、前記無線アンテナが複数の地点＃１〜＃Ｐに離れて設置されている場合に、各地点における無線アンテナ数をＬｉ（１≦ｉ≦Ｐ）とし、前記抽出手段は、（ｍｉｎ１≦ｉ≦Ｐ（Ｌｉ）≦Ｍ≦Ｎ）で、かつＭ＝Ｌｉ（１≦ｉ≦Ｐ）となる条件を満たすＭ個の信号の組み合わせを抽出することを特徴とする。
【００２５】
本発明は、上記の発明において、前記抽出手段は、複数配置され、並列的に抽出処理を行い、前記復調手段は、複数配置され、並列的に抽出処理を行うことを特徴とする。
【００２６】
本発明は、上記の発明において、前記抽出手段は、複数配置され、時系列的に抽出処理を行い、前記復調手段は、複数配置され、時系列的に抽出処理を行うことを特徴とする。
【００２７】
また、上述した課題を解決するために、本発明は、Ｎ個（Ｎ≧２）の無線アンテナで無線信号を受信する無線信号受信方法において、前記無線アンテナで同時に受信されたＮ個の無線信号から、Ｍ個（１≦Ｍ≦Ｎ）の信号を組み合わせることにより得られる互いに異なる複数の信号系列を出力する抽出ステップと、前記抽出手段から出力された各信号系列に対して、当該信号系列がＭ＝１の信号系列の場合には、シングル復調を行い、Ｍ≧２の信号系列の場合には、Ｍブランチ受信ダイバーシチ復調を行ってそれぞれを出力する復調ステップと、前記復調手段から出力された各信号に対して誤り検出を行い、誤りなしと判定された信号のみを出力する誤り検出ステップと、前記誤り検出手段から出力された信号を相互に対比して、重複を排除して出力する判定ステップととを含むことを特徴とする無線信号受信方法である。
【００２８】
本発明は、上記の発明において、前記抽出ステップは、Ｎ個の受信信号からＭ個の信号の組み合わせを抽出する際に、Ｍ個の全ての組み合わせを抽出し、ＮＣＭ個の信号系列として出力することを特徴とする。
【００３０】
本発明は、上記の発明において、前記無線アンテナが複数の地点＃１〜＃Ｐに離れて設置されている場合に、各地点における無線アンテナ数をＬｉ（１≦ｉ≦Ｐ）とし、前記抽出ステップは、（ｍｉｎ１≦ｉ≦Ｐ（Ｌｉ）≦Ｍ≦Ｎ）で、かつＭ＝Ｌｉ（１≦ｉ≦Ｐ）となる条件を満たすＭ個の信号の組み合わせを抽出することを特徴とする。
【発明の効果】
【００３２】
この発明によれば、Ｎ個の無線アンテナで受信されたＮ個の無線信号から、少なくともＫ種類（Ｋ≧２）の値を有するＭ個（１≦Ｍ≦Ｎ）の信号の組み合わせを抽出して信号系列として出力し、該出力された各信号系列に対して、Ｍ＝１の場合には、シングル復調を行い、Ｍ≧２の場合には、Ｍブランチ受信ダイバーシチ復調を行い、復調された各信号に対して誤り検出を行い、誤りなしと判定された信号を出力する。したがって、各受信アンテナの受信信号のうち、ある組み合わせを用いたＭＲＣや選択ダイバーシテと別の組み合わせを用いたＭＲＣや選択ダイバーシチを共用させることができ、いずれかのＭＲＣや選択ダイバーシチで復調成功となる送信局を全て復調成功とすることができるという利点が得られる。さらに、送信されてくる無線信号長には依存しないため、ブラインドアルゴリズム、すなわちＭＭＳＥが適用できない短バケットにも適用することができるという利点が得られる。
【００３３】
また、本発明によれば、Ｎ個の受信信号からＭ個の信号の組み合わせを抽出する際に、Ｍ個の全ての組み合わせを抽出し、ＮＣＭ個の信号系列として出力する。したがって、受信ダイバーシチ復調のブランチ数に制限がある場合に、複数の送信局が同時送信した時、この制限下における各送信局の信号に対する最適な受信アンテナの組み合わせでの受信ダイバーシチを全て網羅することが可能であるため、各送信局の信号の復調成功率を最大限に向上させることができるという利点が得られる。
【００３５】
また、本発明によれば、無線アンテナが複数の地点＃１〜＃Ｐに離れて設置されている場合に、各地点における無線アンテナ数をＬｉ（１≦ｉ≦Ｐ）とし、（ｍｉｎ１≦ｉ≦Ｐ（Ｌｉ）≦Ｍ≦Ｎ）で、かつＭ＝Ｌｉ（１≦ｉ≦Ｐ）となる条件を満たすＭ個の信号の組み合わせを抽出する。したがて、受信アンテナの位置関係から必要最小限の受信ダイバーシチ復調のみを行うことができ、大幅に演算回路規模、処理時間を減少させることができるという利点が得られる。
【００３７】
また、本発明によれば、抽出手段を複数配置し、並列的に抽出処理を行い、復調手段を複数配置し、並列的に抽出処理を行う。したがって、上位レイヤの制御応答時間などで処理時間に制限ある場合、より処理時間を減少させることができるという利点が得られる。
【００３８】
また、本発明によれば、抽出手段を複数配置し、時系列的に抽出処理を行い、復調手段を複数配置し、時系列的に抽出処理を行う。したがって、設置スペースなどから無線信号受信装置の大きさに制限にある場合、より大幅に演算回路規模を減少させることができるという利点が得られる。
【発明を実施するための最良の形態】
【００３９】
以下、本発明の一実施形態を、図面を参照して説明する。
【００４０】
＜第１の実施形態＞請求項１記載
図１は、本発明の第１の実施形態による無線信号受信装置の構成を示すブロック図である。図において、無線信号受信装置１は、Ｎ個の受信アンテナ１−１−１〜１−１−Ｎ、Ｎ個の無線受信部１−２−１〜１−２−Ｎ、抽出手段１−３、復調手段１−４、及び誤り検出手段１−５を備えている。無線受信部１−２−１〜１−２−Ｎは、Ｎ個の受信アンテナ１−１−１〜１−１−Ｎの受信無線信号をベースバンド信号に変換する。抽出手段１−３は、Ｎ個の無線受信部１−２−１〜１−２−Ｎの出力信号からＭ個の信号の組み合わせを信号系列として抽出する。但し、ＭはＫ種類（Ｋ≧２）の値をとり、各ＭをＭ１、Ｍ２、…、ＭＫと表記する。抽出手段１−３は、各Ｍｉ、Ｍ２、…、ＭＫに対して抽出を行う。復調手段１−４は、抽出手段１−３から出力された各Ｍ１、Ｍ２、…、ＭＫの各信号系列に対して、Ｍｉ＝１（１≦ｉ≦Ｋ）の場合には、シングル復調を、Ｍｉ≧２（１≦ｉ≦Ｋ）の場合には、Ｍｉ（１≦ｉ≦Ｋ）ブランチ受信ダイバーシチ復調を行う。誤り検出手段１−５は、復調手段１−４の各出力信号に対して誤り検出を行い、誤りなしと判定された信号を出力する。
【００４１】
次に、本第１の実施形態の動作について説明する。
まず、Ｎ個の受信アンテナ１−１−１〜１−１−Ｎで受信した無線信号＃１〜＃Ｎの各々を、Ｎ個の無線受信部１−２−１〜１−２−Ｎによって、周波数変換により、Ｎ個のベースバンド信号＃１〜＃Ｎへ変換する。なお、後段の処理がアナログ処理であれば、アナログ信号のままでも良いし、デジタル処理であれば、アナログデジタル変換処理により、デジタル信号に変換する。
【００４２】
次に、抽出手段１−３により、Ｎ個のベースバンド信号＃１〜＃Ｎの中から、各Ｍ１、Ｍ２、…、ＭＫに対して、Ｍｉ個の信号の組み合わせを抽出する。例えば、Ｍ１＝２の場合、Ｍ１については、ベースバンド信号＃１〜＃Ｎの中から２個の組み合わせ、（＃１、＃２）、（＃１、＃３）、…、（＃１、＃Ｎ）、（＃２、＃３）、（＃２、＃４）、…、（＃Ｎ−１、＃Ｎ）のうちのいずれかの組み合わせ一組、または複数組の信号系列を抽出する。また、例えば、Ｍ２＝３の場合、Ｍ２については、ベースバンド信号＃１〜＃Ｎの中から３個の組み合わせ、（＃１、＃２、＃３）、（＃１、＃２、＃４）、（＃１、＃２、＃５）、…、（＃１、＃２、＃Ｎ）、（＃１、＃２、＃４）、…、（＃Ｎ−２、＃Ｎ−１、＃Ｎ）のうちのいずれかの組み合わせの一組、または複数組の信号系列を抽出する。したがって、抽出手段１−３からは、各Ｍ１、Ｍ２、…、ＭＫに対して、Ｍ１個の信号の組み合わせ数分の信号系列組、Ｍ２個の信号の組み合わせ数分の信号系列組、…、ＭＫ個の信号の組み合わせ数分の信号系列組が出力される。
【００４３】
なお、この具体的な実現方法としては、ベースバンド信号＃１〜＃Ｎに対して、Ｍ１、Ｍ２、…、ＭＫ個の信号の組み合わせを抽出する手段を別々に装備し、各抽出動作を並列に行う方法（後述する第６の実施形態に対応）、ベースバンド信号＃１〜＃ＮをＫ回入力させ、入力毎にＭ１、Ｍ２、…、ＭＫ個の信号の組み合わせを順番に抽出する方法（後述する第７の実施形態に対応）などが考えられる。
【００４４】
次に、抽出手段１−３から抽出された各Ｍ１、Ｍ２、…、ＭＫ個の信号の組み合わせの信号系列に対して、復調手段１−４により、Ｍｉ＝１（１≦ｉ≦Ｋ）の場合には、シングル復調を行い、Ｍｉ≧２（１≦ｉ≦Ｋ）の場合には、Ｍｉ（１≦ｉ≦Ｋ）ブランチ受信ダイバーシチ復調を行う。
【００４５】
具体的には、シングル復調の場合（Ｍｉ＝１（１≦ｉ≦Ｋ））、抽出された各受信信号に対して、適切な復調処理を行った後、ビット判定を行う。なお、ビット判定前に誤り訂正などを行っても良い。すなわち、Ｍｉに対して抽出した信号数分の復調ピット系列が出力される。なお、復調方式が同期検波の場合、該当する信号に対応する伝搬チャネル応答を検波前に推定する必要があるが、この場合の伝搬チャネル応答の推定は、送信局を１局と仮定して行うことから、複数の送信局が同時送信した場合でも、各送信局の合成伝搬チャネル応答として各信号につき１つの伝搬チャネル応答を推定すれば良い。したがって、ＭＭＳＥのように送信局毎にトレーニング信号を分ける必要は無く、１個のトレーニング信号を付与すれば、伝搬チャネル応答推定が可能であるため、ＭＭＳＥのような送信局増加による伝送効率劣化は無く、ブラインドアルゴリズムを用いる必要もない。
【００４６】
一方、ブランチ受信ダイバーシチ復調の場合（Ｍｉ≧２（１≦ｉ≦Ｋ））、Ｍｉに対して抽出した信号系列の各組み合わせについて、Ｍｉブランチ受信ダイバーシチ復調を行う。例えば、Ｍｉ＝３の場合、抽出したある組み合わせの３個の信号系列に対して、受信ダイバーシチが選択ダイバーシチの場合、各々に対応する伝搬チャネル応答の大きさを比較して、一番大きい信号のみをシングル復調する。また、受信ダイバ一シチがＭＲＣの場合、各信号を各々の伝搬チャネル応答に基づいて最大比合成した後、適切な復調処理を行い、ビット判定を行う。なお、シングル復調と同様に、ビット判定前に誤り訂正を行っても良い。抽出したその他の組み合わせの３個の信号系列に対しても同様の処理を行う。また、Ｍｉが３以外の場合でも全く同様である。
【００４７】
以上により、復調手段１−４からは、入力された信号の組み合わせ数分だけ復調ビット系列が出力される。なお、上述した復調手段１−４の具体的実現方法は、入力信号に対してＭｉブランチ受信ダイバーシチ復調、Ｍ２ブランチ受信ダイバーシチ復調、…、ＭＫブランチ受信ダイバーシチ復調（Ｍｉ＝１（１≦ｉ≦Ｋ）の場合にはシングル復調）する手段を別々に装備し、各受信ダイバーシチ復調を並列的に行う方法や（後述する第６の実施形態に対応）、入力信号をＫ回入力させ、入力毎にＭｉブランチ受信ダイバーシチ復調を順番に行う方法（後述する第７の実施形態に対応）などが考えられる。
【００４８】
次に、これらの復調ビット系列は、全て誤り検出手段１−５に入力され、復調ビット系列毎に誤り検出される。そして、誤りなしと判断された復調ビット系列のみを最終的な復調ビット系列（最終復調ビット系列＃１〜＃Ｓ）とみなして出力する。具体的には、ＭＡＣ（Media Access Control）部などの上位レイヤに引き渡す。
【００４９】
上述した第１の実施形態によれば、無線信号受信装置は、Ｎ個の受信アンテナの受信信号＃１〜＃Ｎに対して、シングル復調、ならびに複数の組み合わせの受信ダイバーシチ復調を同時に行うことが可能である。したがって、複数の送信局が同時送信し、ある受信アンテナの受信信号の組み合わせの受信ダイバーシチ復調なら、ある送信局の信号の復調が成功し、また別の受信アンテナの受信信号の組み合わせの受信ダイバーシチ復調なら、別の送信局の信号の復調が成功するようなケースにおいて、両送信局の信号とも復調を成功することが可能となる。また、本第１の実施形態では、ＭＭＳＥのように、送信局毎のトレーニング信号が不要であり、またブラインドアルゴリズムも必要ないため、パケット長の長さによらず、適用することが可能である。
【００５０】
＜第２の実施形態＞請求項２記載
次に、本発明の第２の実施形態について説明する。
本第２の実施形態は、上述した第１の実施形態による抽出手段１−３において、Ｎ個の受信信号から各Ｍ１、Ｍ２、…、ＭＫ個の信号の組み合わせを抽出する際、各Ｍ１、Ｍ２、…、ＭＫに対して、Ｍｉ（１≦ｉ≦Ｋ）個の全組み合わせを抽出することを目的とする。
【００５１】
図２は、本第２の実施形態による抽出手段１−３の構成を示すブロック図である。図２において、抽出手段１−３は、各Ｍ１、Ｍ２、…、ＭＫ個の信号の組み合わせを抽出する動作を並列に行う（後述する第６の実施形態に対応）。抽出手段１−３は、Ｎ個の無線受信部１−２−１〜１−２−Ｎから出力されるＮ個のベースバンド信号＃１〜＃Ｎに対して、Ｍ１個の全組み合わせを抽出し、ＮＣＭ１組の信号系列組を出力するＮＣＭ１個抽出手段１−３−１と、Ｍ２個の全組み合わせを抽出し、ＮＣＭ２組の信号系列組を出力するＮＣＭ２個抽出手段１−３−２と、…、ＭＫ個の全組み合わせを抽出し、ＮＣＭＫ組の信号系列組を出力するＮＣＭＫ個抽出手段１−３−Ｋから構成される。
【００５２】
次に、本第２の実施形態の動作について説明する。
ＮＣＭ１個抽出手段１−３−１は、ベースバンド信号＃１〜＃Ｎの中からＭ１個を選択する全組み合わせについて、各組の信号系列を出力する。例えば、Ｍｉ＝２の場合、（＃１、＃２）、（＃１、＃３）、…（＃１、＃Ｎ）、（＃２、＃３）、（＃２、＃４）、…、（＃Ｎ−１、＃Ｎ）の全組み合わせの信号系列組を出力する。以下、ＮＣＭ２個抽出手段１−３−２、…、ＮＣＭＫ個抽出手段１−３−Ｋについても同様である。
【００５３】
上述した動作では、各Ｍ１、Ｍ２、…、ＭＫの抽出動作を並列に行ったが、各抽出動作を時分割で行ってもよい。すなわち、ベースバンド信号＃１〜＃ＮをＫ回入力し、順番にＮＣＭ１個抽出手段１−３−１、ＮＣＭ２個抽出手段１−３−２、…、ＮＣＭＫ個抽出手段１−３−Ｋの動作を行っても良い（後述する第７の実施形態に対応）。出力した信号は、前述した第１の実施形態による無線信号受信装置と全く同様に、Ｍ１ブランチ受信ダイバーシチ復調、Ｍ２ブランチ受信ダイバーシチ復調、…、ＭＫブランチ受信ダイバーシチ復調を行う復調手段１−４へ入力される。
【００５４】
上述した第２の実施形態によれば、無線信号受信装置は、Ｎ個の受信アンテナの受信信号＃１〜＃Ｎに対して、各Ｍ１、Ｍ２、…、ＭＫに対する全組み合わせのシングル復調、ならびに受信ダイバーシチ復調を同時に行うことができる。したがって、例えば、無線信号受信装置側で受信アンテナはＮ個装備するが、演算処理時間、回路規模などの物理的制限により、全受信アンテナの組み合わせのうち、Ｍ１ブランチ受信ダイバーシチ復調、Ｍ２ブランチ受信ダイバーシチ復調、…、ＭＫブランチ受信ダイバーシチ復調のみが装備、動作できるような状況において、この制限下での全ての受信アンテナの組み合わせのシングル復調、ならびに受信ダイバーシチ復調を同時に行うことが可能となる。これにより、前述した第１の実施形態による無線信号受信装置に対して、受信ダイバーシチ復調のブランチ数に制限がある場合に、複数の送信局が同時送信した時、この制限下における各送信局の信号に対する最適な受信アンテナの組み合わせでの受信ダイバーシチを全て網羅することが可能であるため、各送信局の信号の復調成功率を最大限に向上させることが可能となる。
【００５５】
＜第３の実施形態＞請求項３記載の発明
次に、本発明の第３の実施形態について説明する。
本第３の実施形態は、前述した第１の実施形態による抽出手段１−３において、Ｎ個の受信信号から１側、２個、３個、…、Ｎ個の全Ｎ種類に対する組み合わせの信号系列組を抽出することを目的とする。
【００５６】
図３は、本第３の実施形態による抽出手段１−３の構成を示すブロック図である。図３において、抽出手段１−３は、各１個、２個、３個、…、Ｎ個の信号の組み合わせを抽出する動作を並列に行う（後述する第６の実施形態に対応）。抽出手段１−３は、Ｎ個の無線受信部１−２−１〜１−２−Ｎから出力されるＮ個のベースバンド信号＃１〜＃Ｎに対して、１個の組み合わせの信号系列組を抽出する、１個抽出手段１−３−１’、２個の組み合わせの信号系列組を抽出する２個抽出手段１−３−２’、…、Ｎ個の組み合わせの信号系列組を抽出するＮ個抽出手段１−３−Ｎ’から構成される。
【００５７】
次に、本第３の実施形態の動作について説明する。
１個抽出手段１−３−１’は、ベースバンド信号＃１〜＃Ｎの中から１個の信号系列を１組とみなして、１組もしくは複数組抽出して出力する。これは、実質的には、ベースバンド信号＃１〜＃Ｎの中から１個もしくは複数個抽出して出力する動作である。２個抽出手段１−３−２’は、ベースバンド信号＃１〜＃Ｎの中から２個の組み合わせ、すなわち（＃１、＃２）、（＃１、＃３）、…、（＃１、＃Ｎ）、（＃２、＃３）、（＃２、＃４）、…、（＃Ｎ−１、＃Ｎ）のうちのいずれかの組み合わせ一組、または複数組の信号系列を抽出する。以下、３個抽出手段１−３−３’、…、Ｎ−１個抽出手段１−３−Ｎ−１’については、２個抽出手段１−３−２’と同様の動作を行う。また、Ｎ個抽出手段１−３−Ｎ’は、全ベースバンド信号＃１〜＃Ｎを１組として出力する。
【００５８】
上述した動作では、ベースパンド信号＃１〜＃Ｎから１個、２個、３個、…、Ｎ個の全Ｎ種類に対する組み合わせの信号系列組を抽出する動作を並列的に行ったが、各抽出動作を時分割で行ってもよい。すなわち、ベースバンド信号＃１〜＃ＮをＫ回入力し、順番に１個抽出手段１−３−１’、２個抽出手段１−３−２’、…、Ｎ個抽出手段１−３−Ｎ’の動作を行っても良い（後述する第７の実施形態に対応）。出力した信号は、前述した第１の実施形態による無線信号受信装置と全く同様に、１ブランチ受信ダイバーシチ復調手段１−４−１、２ブランチ受信ダイバーシチ復調手段１−４−２、…、Ｎブランチ受信ダイバーシチ復調手段１−４−Ｎに入力される。
【００５９】
上述した第３の実施形態によれば、無線信号受信装置は、Ｎ個の受信アンテナの受信信号＃１〜＃Ｎに対して、１個、２個、３個、…、Ｎ個の全Ｎ種類に対する組み合わせのシングル復調、ならびに受信ダイバーシチ復調を同時に行うことができる。したがって、例えば、無線信号受信装置側で演算処理時間、回路規模などの物理的制限により、動作できる受信ダイバーシチ復調数に制限があった場合に、前述した第２の実施形態では、ブランチ数を制限して各ブランチ数内の全組み合わせを網羅することを可能としたが、本第３の実施形態では、ブランチ数を全網羅し、各ブランチ数内の組み合わせを制限するようなことができる。
【００６０】
これにより、複数の送信局が同時送信する場合、ブランチ数を制限して各ブランチ数内の全組み合わせを網羅するよりも、ブランチ数を全網羅して各ブランチ数内の組み合わせを制限した方が、各送信局の復調成功率が向上するようなケース、例えば、互いの受信アンテナ間隔が狭く、明らかにダイバーシチ効果がないと考えられる受信アンテナの組は行わないことを前提に、全ブランチ数分の受信ダイバーシチ復調を行うようなケースなどにおいて、前述した第２の実施形態よりも改善効果が見込まれる。
【００６１】
また、例えば、第２の実施形態と第３の実施形態とを合わせることにより、Ｎ個の受信アンテナの受信信号＃１〜＃Ｎに対して、シングル復調、ならびに全組み合わせの受信ダイバーシチ復調を同時に行うことができる。
【００６２】
ここで、図４は、第２の実施形態と第３の実施形態とを合わせた場合の、抽出手段１−３の構成を示すブロック図である。図４に示す構成は、基本的には、図２と図３とを合わせたものであり、第２の実施形態、ならびに第３の実施形態の抽出手段１−３の各動作を並列動作させたものである（後述する第６の実施形態に対応）。当然ながらこれらの動作を時系列的に動作させることも可能である（後述する第７の実施形態に対応）。
【００６３】
この構成により、無線信号受信装置がＮ個の受信アンテナを具備する場合に、複数の送信局が同時送信した時、各送信局の信号に対して最適な受信アンテナの組み合わせでの受信ダイバーシチを全て網羅することが可能になるため、各送信局の信号の復調成功率を最大限に向上させることが可能となる。
【００６４】
＜第４の実施形態＞請求項４記載
次に、第４の実施形態について説明する。
本第４の実施形態は、前述した第１実施形態による抽出手段１−３において、各受信アンテナの位置関係を考慮して抽出する信号系列の組み合わせを選択することを目的としている。すなわち、受信アンテナの位置を考慮して受信ダイバーシチ復調を行う受信アンテナの組み合わせを選択することを目的としている。
【００６５】
図５は、本第４の実施形態の無線信号受信装置２の構成を示すブロック図である。図５に示す構成は、一例として、互いに遠隔に離れた３地点（地点Ａ、Ｂ、Ｃ）に受信アンテナが装備され、また、各地点に複数の受信アンテナを装備するケースを考えている。このケースを例に本第４の実施形態を以下に説明する。
【００６６】
図５において、無線信号受信装置２は、地点ＡにＬ１個の受信アンテナ２−１−１−１〜２−１−１−Ｌ１と、地点ＢにＬ２個の受信アンテナ２−１−２−１〜２−１−２−Ｌ２と、地点ＣにＬ３個の受信アンテナ２−１−３−１〜２−１−３−Ｌ３と、受信アンテナ２−１−１−１〜２−１−１−Ｌ１、２−１−２−１〜２−１−２−Ｌ２、２−１−３−１〜２−１−３−Ｌ３の受信信号に対して無線受信部１−２−１〜１−２−Ｎと同等の機能を有する無線受信部２−２−１−１〜２−２−１−Ｌ１、２−２−２−１〜２−２−２−Ｌ２、２−２−３−１〜２−２−３−Ｌ３とを備えている。
【００６７】
また、無線信号受信装置２は、無線受信部２−２−１−１〜２−２−１−Ｌ１、２−２−２−１〜２−２−２−Ｌ２、２−２−３−１〜２−２−３−Ｌ３からの各信号に対して抽出手段のＭ＝Ｌ１の１種類のみに対応する抽出手段２−３−１と、Ｍ＝Ｌ２の１種類のみに対応する抽出手段２−３−２と、Ｍ＝Ｌ３の１種類のみに対応する抽出手段２−３−３と、無線受信部２−２−１−１〜２−２−１−Ｌ１、２−２−２−１〜２−２−２−Ｌ２、２−２−３−１〜２−２−３−Ｌ３からの全信号に対して抽出手段１−３と同等の機能を有する抽出手段２−３−４とを備えている。
【００６８】
さらに、無線信号受信装置２は、抽出手段２−３−１、２−３−２、２−３−３の出力信号に対して、Ｌ１ブランチ受信ダイバーシチ復調を行うＬ１ブランチ受信ダイバーシチ復調手段２−４−１、Ｌ２ブランチ受信ダイバーシチ復調を行うＬ２ブランチ受信ダイバーシチ復調手段２−４−２、Ｌ３ブランチ受信ダイバーシチ復調を行うＬ３ブランチ受信ダイバーシチ復調手段２−４−３と、抽出手段２−３−１、２−３−２、２−３−３の全出力信号に対して、復調手段１−３と同等の機能を有する復調手段２−４−１〜２−４−４からの出力信号に対して、誤り検出手段１−５と同等の機能を具備する誤り検出手段２−５とを備えている。
【００６９】
次に、本第４の実施形態の動作について説明する。
受信アンテナ２−１−１−１〜２−１−１−Ｌ１、２−１−２−１〜２−１−２−Ｌ２、２−１−３−１〜２−１−３−Ｌ３、無線受信部２−２−１−１〜２−２−１−Ｌ１、２−２−２−１〜２−２−２−Ｌ２、２−２−３−１〜２−２−３−Ｌ３は、前述した受信アンテナ１−１−１〜１−１−Ｎ、無線受信部１−２−１〜１−２−Ｎと全く同様に動作し、最終的に、＃１−１〜＃１−Ｌ１、＃１−１〜＃１−Ｌ２、＃１−１〜＃１−Ｌ３の計Ｌ１＋Ｌ２＋Ｌ３個のベースバンド信号が出力される。抽出手段２−３−１は、ベースバンド信号＃１−１〜＃１−Ｌ１について全信号を１組として出力する。同様に、抽出手段２−３−２、抽出手段２−３−３は、ベースバンド信号＃１−１〜＃１−Ｌ２、＃１−１〜＃１−Ｌ３に対して、各々、全信号を１組として出力する。
【００７０】
一方、抽出手段２−３−４は、全ベースバンド信号＃１−１〜＃１−Ｌ１、＃１−１〜＃１−Ｌ２、＃１−１〜＃１−Ｌ３に対して、前述した抽出手段１−３と全く同様の動作をする。但し、Ｍは（ｍｉｎ（Ｌ１、Ｌ２、Ｌ３）＜Ｍ≦Ｎ）を満たす。具体的には、例えば、Ｍの値をＭ＝Ｌ１＋Ｌ２、Ｌ２＋Ｌ３、Ｌ３＋Ｌ１、Ｌ１＋Ｌ２＋Ｌ３とし、抽出する信号系列組を、＃１−１〜＃１−Ｌ１と＃１−１〜＃１−Ｌ２の１組、＃１−１〜＃１−Ｌ２と＃１−１〜＃１−Ｌ３の１組、＃１−１〜＃１−Ｌ３と＃１−１〜＃１−Ｌ１の１組、＃１−１〜＃１−Ｌ１と＃１−１〜＃１−Ｌ２と＃１−１〜＃１−Ｌ３の１組の計４組とするようなことが考えられる。すなわち、同一地点の受信アンテナは、必ず全受信アンテナを用いた受信ダイバーシチ復調を行い、さらに、各地点を組み合わせた受信ダイバーシチのみを行うようなことが考えられる。
【００７１】
次に、抽出手段２−３−１から出力される信号系列＃１−１〜＃１−Ｌ１の組に対して、Ｌ１ブランチ受信ダイバーシチ復調手段２−４−１は、Ｌ１ブランチ受信ダイバーシチ復調を行い、抽出手段２−３−２から出力される信号系列＃１−１〜＃１−Ｌ２の組に対して、Ｌ２ブランチ受信ダイバーシチ復調手段２−４−２は、Ｌ２ブランチ受信ダイバーシチ復調を行い、抽出手段２−３−３から出力される信号系列＃１−１〜＃１−Ｌ３の組に対して、Ｌ３ブランチ受信ダイバーシチ復調手段２−４−３は、Ｌ３ブランチ受信ダイバーシチ復調を行う。
【００７２】
また、復調手段２−４−４は、抽出手段２−３−４が出力する各Ｍに対する信号系列組に対して、各々、Ｍブランチ受信ダイバーシチ復調を行う。例えば、出力する信号系列組が上述した組み合わせの場合、＃１−１〜＃１−Ｌ１と＃１−１〜１−Ｌ２の組に対してはＬ１＋Ｌ２ブランチ受信ダイバーシチ復調、＃１−１〜１−Ｌ２と＃１−１〜＃１−Ｌ３の組に対しては、Ｌ２＋Ｌ３ブランチ受信ダイバーシチ復調、＃１−１〜＃１−Ｌ３と＃１−１〜＃１−Ｌ１の組に対してはＬ３＋Ｌ１ブランチ受信ダイバ−シチ復調、＃１−１〜＃１−Ｌ１と＃１−１〜＃１−Ｌ２と＃１−１〜＃１−Ｌ３の組に対しては、Ｌ１＋Ｌ２＋Ｌ３ブランチ受信ダイバーシチ復調を行う。
【００７３】
以降は、前述した第１の実施形態と同様に、各受信ダイバーシチ復調後の復調ビット系列に対して、誤り検出手段２−５が誤り検出を行い、誤りなしと判断したもののみを最終的復調ビット系列＃１〜＃Ｓとして出力する。
【００７４】
なお、以上の説明は、互いに遠隔に離れた３地点（地点Ａ、Ｂ、Ｃ）に受信アンテナが装備され、また、各地点に複数の受信アンテナを装備するケースで行ったが、複数の地点に受信アンテナを装備するその他のケースにおいても動作は全く同様である。
【００７５】
上述した第４の実施形態によれば、無線信号受信装置は、受信アンテナの位置関係を考慮し、同一地点に装備されている受信アンテナについては、全受信アンテナを用いた受信ダイバーシチ復調のみを行い、かつ各地点問をまたいだ受信アンテナ間についての組み合わせについての受信ダイバーシチ復調を更に行うことが可能となる。
【００７６】
複数局の送信局が同時送信する場合に、各送信局からの距離がほぼ同じである同―地点内の受信アンテナについては、複数組の組み合わせの受信ダイバーシチを行っても、各受信アンテナの各送信局からの受信レベルは、ほぼ同程度であるため、各送信局の復調成功率を向上させる効果は低く、通常通り、全受信アンテナを用いた受信ダイバーシチのみを行えば良いと考えられる。
【００７７】
本第４の実施形態は、このような各送信局の復調成功率の向上度が薄いと考えられる同一地点内で全受信アンテナ以外の組み合わせの受信ダイバーシチ復調を行うことを省きながら、送信局の復調成功率の向上度が高いと考えられる「同一地点内は、全受信アンテナを用いた受信ダイバーシチ復調」、ならびに「地点間をまたいだ受信アンテナの組み合わせの受信ダイバーシチ復調」を同時に行うことを可能とする。したがって、前述した第１の実施形態による無線信号受信装置に対して、受信アンテナの位置関係から必要最小限の受信ダイバーシチ復調のみを行うことを可能とし、大幅に演算回路規模、処理時間を減少させることが可能である。
【００７８】
＜第５の実施形態＞請求項５記載
次に、本発明の第５の実施形態について説明する。
本第５の実施形態は、前述した第１から第４の実施形態において、誤り検出手段１−５で出力された最終的復調ピット系列のうち、重複したものを廃棄することにより、各々が異なる復調ビット系列のみを最終復調ビット系列とする。
【００７９】
図６は、本第５の実施形態による無線信号受信装置の一部の構成を示すブロック図である。図において、本第５の実施形態による無線信号受信装置は、前述した第１から第４の実施形態の構成に加えて、誤り検出手段１−６の後段に、判定手段１−６を備えている。判定手段１−６は、まず、入力された各復調ビヅト系列が同系列かどうか、すなわち重複しているかどうかを判定する。
【００８０】
具体的には、誤り検出手段１−５が出力した各復調ピット系列を全て比較することにより、各復調ビット系列が重複するかどうか判定しても良いし、また、ビット系列の一部領域のみを比較することによって各復調ビット系列が重複するかどうかを判定しても良い。また、一部領域のみを比較する場合、各送信局で異なることが明らかな送信局のＩＤ情報が記載されている領域などを比較するような方法が考えられる。その結果、判定手段１−６は、重複した復調ビット系列のいずれかを廃棄し、いずれかのみを出力する処理を行う。これにより、判定手段１−６が出力するビット系列は、各々異なる復調ビット系列＃１〜＃Ｔとなる。
【００８１】
本第５実施形態によれば、ＭＡＣ部などの上位レイヤに不要な重複ビット系列を受け渡すことを防ぐことができる。なお、判定手段１−６は、ＭＡＣ部で行うことも考えられる。
【００８２】
＜第６の実施形態＞請求項６記載の発明
次に、本発明の第６の実施形態について説明する。
本第６の実施形態は、前述した第１から第４の実施形態による無線信号受信装置に対して、各抽出手段１−３、各復調手段１−４を並列的に動作させることを目的としている。無線信号受信装置の構成は、図１〜図５に示した通りである。本第６の実施形態によれば、総動作数が増えても、処理時間を維持することが可能である。したがって、上位レイヤの制御応答時間などで処理時間に制限ある場合に、より効果的である。
【００８３】
＜第７の実施形態＞請求項７記載の発明
次に、本発明の第７の実施形態について説明する。
本第７の実施形態は、前述した第１から第４の実施形態による無線信号受信装置に対して、各抽出手段１−３、各復調手段１−４を時分割に動作させることを目的としている。
図７（ａ）、（ｂ）は、本第７の実施形態による無線信号受信装置の時分割動作を説明するための概念図である。図（ａ）、（ｂ）において、矢印は、時間経過を示し、抽出手段１−３−１’’〜１−３−Ｎ’’、または、復調手段１−４−１〜１−４−Ｎの動作を順番に実行していることを示す。本第７の実施形態により、総動作数が増えても回路規模を維持することが可能となる。したがって、設置スペースなどから無線信号受信装置の大きさに制限にある場合、より効果的である。
【図面の簡単な説明】
【００８４】
【図１】本発明の第１の実施形態による無線信号受信装置の構成を示すブロック図である。
【図２】本第２の実施形態による抽出手段１−３の構成を示すブロック図である。
【図３】本第３の実施形態による抽出手段１−３の構成を示すブロック図である。
【図４】第２の実施形態と第３の実施形態とを合わせた場合の、抽出手段１−３の構成を示すブロック図である。
【図５】本第４の実施形態の無線信号受信装置２の構成を示すブロック図である。
【図６】本第５の実施形態による無線信号受信装置の一部の構成を示すブロック図である。
【図７】本第７の実施形態による無線信号受信装置の時分割動作を説明するための概念図である。
【図８】従来技術による無線信号受信波置（全受信アンテナを用いて受信ダイバーシチを行う）の略構成を示すブロック図である。
【符号の説明】
【００８５】
１  無線信号受信装置
１−１−１〜１−１−Ｎ  受信アンテナ
１−２−１〜１−２−Ｎ  無線受信部
１−３  抽出手段
１−４  復調手段
１−４−１：Ｍ１ブランチ受信ダイバーシチ復調手段
１−４−２：Ｍ２ブランチ受信ダイバーシチ復調手段
１−４−Ｋ：ＭＫブランチ受信ダイバーシチ復調手段
１−５  誤り検出手段
１−３−１  ＮＣＭ１個抽出手段
１−３−２  ＮＣＭ２個抽出手段
１−３−Ｋ  ＮＣＭＫ個抽出手段
１−４−１  Ｍ１ブランチ受信ダイバーシチ復調手段
１−４−２  Ｍ２ブランチ受信ダイバーシチ復調手段
１−４−Ｋ  ＭＫブランチ受信ダイバーシチ復調手段
１−３−１’  １個抽出手段
１−３−２’  ２個抽出手段
１−３−Ｎ’  Ｎ個抽出手段
１−４−１  １ブランチ受信ダイバーシチ復調手段
１−４−２  ２ブランチ受信ダイバーシチ復調手段
１−４−Ｎ  Ｎブランチ受信ダイバーシチ復調手段
１−３−１’’  １個抽出手段
１−３−２’’  ２個抽出手段
１−３−Ｎ’’  Ｎ個抽出手段
２  無線信号受信装置
２−１−１−１〜２−１−１−Ｌ１、２−１−２−１〜２−１−２−Ｌ２、２−１−３−１〜２−１−３−Ｌ３  受信アンテナ
２−２−１−１〜２−２−１−Ｌ１、２−２−２−１〜２−２−２−Ｌ２、２−２−３−１〜２−２−３−Ｌ３  無線受信部
２−３−１〜２−３−４  抽出手段
２−４−１  Ｌ１ブランチ受信ダイバーシチ復調手段
２−４−２  Ｌ２ブランチ受信ダイバーシチ復調手段
２−４−３  Ｌ３ブランチ受信ダイバーシチ復調手段
２−４−４  復調手段
２−４−４−１  Ｍ１ブランチ受信ダイバーシチ復調手段
２−４−４−２  Ｍ２ブランチ受信ダイバーシチ復調手段
２−５  誤り検出手段
１−６  判定手段
【図１】
0004865692.tif 000002
【図２】
0004865692.tif 000003
【図３】
0004865692.tif 000004
【図４】
0004865692.tif 000005
【図５】
0004865692.tif 000006
【図６】
0004865692.tif 000007
【図７】
0004865692.tif 000008
【図８】
0004865692.tif 000009